(57)【要約】【課題】ブラックアウトする期間を減じることができる撮像装置を提供する。【解決手段】光学系による光学像を撮像素子に結像させて、光学像に基づく画像信号を生成する撮像部と、レリーズ信号が入力される前に、撮像部からの画像信号に基づいて連続撮像される画像を表示部に連続表示させる表示制御部と、レリーズ信号が入力されたことに応じて、撮像部からの画像信号に基づいて撮影された画像を記録部に記録させる撮影制御部と、を有し、表示制御部は、レリーズ信号が入力された後も、撮像部からの画像信号に基づいて連続撮像されている画像を表示部に連続表示させることを特徴とする撮像装置。【選択図】図１
2010273182.tif 000002
【特許請求の範囲】
【請求項１】
光学系による光学像を撮像素子に結像させて、前記光学像に基づく画像信号を生成する撮像部と、
レリーズ信号が入力される前に、前記撮像部からの画像信号に基づいて連続撮像される画像を表示部に連続表示させる表示制御部と、
前記レリーズ信号が入力されたことに応じて、前記撮像部からの画像信号に基づいて撮影された画像を記録部に記録させる撮影制御部と、
を有し、
前記表示制御部は、
前記レリーズ信号が入力された後も、前記レリーズ信号が入力されるまでに連続撮像されている画像を前記表示部に連続表示させる
ことを特徴とする撮像装置。
【請求項２】
前記表示制御部は、
流し撮りの場合に、前記レリーズ信号が入力された後も、前記レリーズ信号が入力されるまでに連続撮像されている画像を前記表示部に連続表示させる
ことを特徴とする請求項１に記載の撮像装置。
【請求項３】
前記表示制御部は、
前記レリーズ信号が入力されたことに応じて、前記レリーズ信号が入力されるまでに連続撮像されている画像を前記表示部に連続表示させた後に、前記表示部をブラックアウトさせる
ことを特徴とする請求項１または請求項２に記載の撮像装置。
【請求項４】
前記表示制御部は、
前記レリーズ信号が入力されたことに応じて、前記レリーズ信号が入力されるまでに連続撮像されている画像を前記表示部に連続表示させた後に、当該連続表示した最後の画像を前記表示部に表示し続けさせる
ことを特徴とする請求項１または請求項２に記載の撮像装置。
【発明の詳細な説明】
【技術分野】
【０００１】
本発明は、撮像装置に関する。
【背景技術】
【０００２】
従来の撮像装置では、撮影される前において、いわゆるスルー画像が撮像装置の備える表示部に表示されている。
ところで、流し撮りにおいて、流し撮りにおけるシャッター速度を自動算出する方法として特許文献１による技術が知られている。このような技術により流し撮りが行われる場合においても、撮影される前において、スルー画像が表示部に表示されている。
【先行技術文献】
【特許文献】
【０００３】
【特許文献１】特開平５−２３２５６２号公報
【発明の概要】
【発明が解決しようとする課題】
【０００４】
しかし、撮影中（露光期間中）においては、表示部にはスルー画像を表示することができなくなり、表示部を消灯するため、いわゆるブラックアウトが生じていた。このようなブラックアウトが生じると、撮影者をとまどわせる可能性、または、撮影者に緊張を強いる可能性があった。そのために、たとえば流し撮り撮影中においては、撮影者がパンニングすることが難しくなるという可能性があった。また、流し撮りしていない場合であっても、撮像装置を撮影者が固定し続けることが難しくなるという可能性もあった。
【０００５】
本発明は、このような事情に鑑みてなされたもので、その目的は、ブラックアウトする期間を減じることができる撮像装置を提供することにある。
【課題を解決するための手段】
【０００６】
この発明は上述した課題を解決するためになされたもので、光学系による光学像を撮像素子に結像させて、前記光学像に基づく画像信号を生成する撮像部と、レリーズ信号が入力される前に、前記撮像部からの画像信号に基づいて連続撮像される画像を表示部に連続表示させる表示制御部と、前記レリーズ信号が入力されたことに応じて、前記撮像部からの画像信号に基づいて撮影された画像を記録部に記録させる撮影制御部と、を有し、前記表示制御部は、前記レリーズ信号が入力された後も、前記レリーズ信号が入力されるまでに連続撮像されている画像を前記表示部に連続表示させることを特徴とする撮像装置である。
【発明の効果】
【０００７】
この発明によれば、表示制御部が、レリーズ信号が入力された後も、レリーズ信号が入力されるまでに連続撮像されている画像を表示部に連続表示させることにより、ブラックアウトする期間を減じることができる。
【図面の簡単な説明】
【０００８】
【図１】この発明の一実施形態による撮像装置の構成を示すブロック図である。
【図２】走行中の車を流し撮りする場合のスルー画像を説明する説明図である。
【図３】従来の撮像装置で撮影した場合のスルー画像を説明する説明図である。
【図４】第１の実施形態による撮像装置で撮影した場合のスルー画像を説明する説明図である。
【図５】スルー画像を連続表示する原理を説明する動作図である。
【図６】従来の撮像装置による撮影動作を説明する説明図である。
【図７】第１の実施形態による撮像装置による撮影動作を説明する説明図である。
【図８】第１の実施形態による撮像装置の動作を説明するフローチャートである。
【図９】図８のステップＳ０５１の動作を詳細に説明するフローチャートである。
【図１０】第２の実施形態による撮像装置で撮影した場合のスルー画像を説明する説明図である。
【図１１】第２の実施形態による撮像装置による撮影動作を説明する説明図である。
【発明を実施するための形態】
【０００９】
以下、図面を参照して、本発明の実施の形態について説明する。図１は、この発明の第の１の実施形態による撮像装置１００の構成を示す概略ブロック図である。撮像装置１００は、撮像部１０、不揮発メモリー１１、バッファメモリー１２、操作検出回路１３、モニター制御回路１４、モニター（表示部）１５、メモリー制御回路１６、メモリー１７、および制御部２０を備えている。
【００１０】
撮像部１０は、光学系１、角速度センサー２、光学系制御回路３、撮像素子制御回路７、撮像素子８、および映像回路９を備え、光学系による光学像を撮像して画像信号を生成して出力する。光学系１は、撮像素子８への露光を補正する光学素子、例えば、焦点を調整する機能を有するフォーカスレンズ、手ブレによる像揺れを補正する機能を有する手ブレ防止レンズ、絞り羽根、および、シャッター等を備えている。
【００１１】
角速度センサー２は、撮像装置１００の角度変化（移動速度や移動方向を含む）を検出する。この角速度センサー２は、撮像装置１００の３軸まわりの回転量を検出する。たとえば流し撮りする場合、流し撮り対象に追従して、撮影者により撮像装置１００の向きが変えられる。この場合、この角速度センサー２により、撮像装置１００の角度変化を検出することにより、流し撮りをしているか否かを検出することができる。
【００１２】
光学系制御回路３は、フォーカスレンズを制御して自動的に焦点を調整するオートフォーカス（以下、ＡＦ）制御機能、シャッターの開閉を制御するシャッター制御機能、絞り羽根の絞りを制御して自動的に露出を調整するＡＥ制御機能等を備え、光学系１を駆動させ、撮像素子８への露光を補正する。
【００１３】
撮像素子８は、ＣＣＤ（Charge Coupled Device）、ＣＭＯＳ（Complementary Metal Oxide Semiconductor）等であり、光学系１から露光された光学像が結像される受光面を有し、結像された光学像を電気信号に変換してアナログの画像信号を出力する。また、撮像素子８は、撮像素子制御回路７により制御され、シャッターが切られる前においては、入射する光学像に基づきスルー画像信号をフレーム毎に連続して出力し、シャッターが切られたことに応じて、入射する光学像に基づき静止画像用の画像信号を出力する。
【００１４】
ここでいう静止画像用の画像信号とは撮像素子８が有する全ての画素に対応する画像信号であり、スルー画像信号とは撮像素子８が有する一部の画素に対応する画素信号であって、モニター１５に表示する程度の画素信号のことである。以降においては、静止画像用の画像信号に基づいて生成される画像を静止画像と称し、スルー画像信号に基づいて生成される画像をスルー画像と称して説明する。この静止画像とは、たとえば、スルー画像の画素サイズよりも画素サイズが大きい画像であることを意味し、流し撮り撮影される画像であってもよいし、連続撮影される画像であってもよいし、動画として連続撮影される画像であってもよい。
【００１５】
映像回路９は、撮像素子８から出力される画像信号を増幅し、デジタル信号に変換する。撮像素子制御回路７は、撮像素子８を駆動させ、撮像素子８において結像された光学像の画像信号への変換や、変換された画像信号の出力などの動作を制御する。例えば撮像素子制御回路７は、制御部２０によって制御される露光時間で、撮像素子８に光学像を結像させる露光時間制御や、撮像素子８に一定時間ｔの間隔で複数のスルー画像信号を生成させるスルー画生成制御等を行う。なお一定時間ｔの間隔とは、例えば１／６０秒である。
【００１６】
不揮発メモリー１１は、制御部２０を動作させるプログラムや、ユーザから入力された各種設定や撮影条件などの情報を記憶する。不揮発メモリー１１は、例えば、操作検出回路１３から入力される情報に基づき、自動レリーズ設定の有無や、自動レリーズ設定の設定条件等の情報を記憶する。
バッファメモリー１２は、制御部２０の制御処理に用いられる一時的な情報の記憶領域であって、例えば、撮像素子８から出力されるスルー画像信号や、制御部２０によって画像処理された撮影画像信号などが制御部２０によって一時的に記憶される。
【００１７】
操作検出回路１３は、電源スイッチ１３ａ、レリーズスイッチ１３ｂ、・・・１３ｎ等の入力部を備え、その入力部がユーザによって操作されることに応じて、操作に対応する制御信号を制御部２０に出力する。たとえばレリーズスイッチ１３ｂが全押しされたことに応じて、操作検出回路１３は、レリーズ信号を制御部２０に出力する。
モニター制御回路１４は、例えば、モニター１５の点灯と消灯および明るさ調整などの表示制御や、制御部２０によって画像処理された画像信号をモニター１５に表示させる処理を行う。モニター１５は、画像信号に応じた画像を表示するディスプレイであり、例えば、ＬＣＤ（Liquid Crystal Display）などの液晶ディスプレイである。
【００１８】
メモリー制御回路１６は、制御部２０とメモリー１７との情報の入出力を制御し、例えば制御部２０によって画像処理された画像信号をメモリー１７に記憶させる処理や、メモリー１７に記憶されている画像信号等の情報を読み出して制御部２０に出力する処理などを行う。メモリー１７は、例えば、メモリーカードなど撮像装置１００に対して抜き差し可能な記憶媒体であり、制御部２０によって画像処理された画像信号などが記憶される。
【００１９】
制御部２０は、不揮発メモリー１１に記憶されたプログラムに基づいて撮像装置１００の各部の動作を制御するＣＰＵ（Central Processing Unit）等である。例えば、制御部２０は、ユーザの操作に応じて操作検出回路１３から入力される制御信号に応じて、撮像装置１００への電源の投入、光学系制御回路３を介した光学系１の駆動制御、撮像素子制御回路７を介した撮像素子８の駆動制御、モニター制御回路１４を介したモニター１５の表示制御等を行う。この制御部２０は、画像処理部２１と、表示制御部２２と、撮影制御部２３とを備えている。
【００２０】
画像処理部２１は、撮像素子８から映像回路９に出力された画像信号（静止画像信号およびスルー画像信号）に対して画像処理を行う。画像処理部２１は、例えば、スルー画像信号に対して、動画的にモニター１５に表示されるように画像処理を行い、バッファメモリー１２に記憶させる。
【００２１】
表示制御部２２は、バッファメモリー１２に記憶されている、画像処理部２１によって画像処理されたスルー画像信号を読み出し、リアルタイムにモニター１５に出力する。この表示制御部２２は、レリーズ信号が入力される前に、撮像部１０からの画像信号に基づいて連続撮像されるスルー画像をモニター１５に連続表示させる。
【００２２】
また、この表示制御部２２は、レリーズ信号が入力された後も、レリーズ信号が入力されるまでに連続撮像されているスルー画像をモニター１５に連続表示させる。ここでいうレリーズ信号が入力されるまでに連続撮像されているスルー画像とは、レリーズ信号が入力されるまでに連続撮像されているスルー画像であって、かつ、これからモニター１５に連続表示されるスルー画像である。
【００２３】
また、この表示制御部２２は、流し撮りの場合に、レリーズ信号が入力された後も、レリーズ信号が入力されるまでに連続撮像されているスルー画像をモニター１５に連続表示させる。また、この表示制御部２２は、レリーズ信号が入力されたことに応じて、レリーズ信号が入力されるまでに連続撮像されているスルー画像をモニター１５に連続表示させた後に、モニター１５をブラックアウトさせる。このモニター１５をブラックアウトさせるとは、モニター１５を消灯させることである。
【００２４】
撮影制御部２３は、レリーズ信号が入力されたことに応じて、撮像部１０からの画像信号に基づいて撮影された画像をメモリー１７に記録させる。ここでの撮影は、スルー画像の撮影とは異なり、静止画像を撮影する静止画撮影である。また、撮影制御部２３は、撮影条件が設定され、この設定した撮影条件に基づいて光学系制御回路３を制御して撮影させる。
【００２５】
次に図２から図４を用いて、一例としてのモニター１５に表示される画像であって、連続するフレームの画像について説明する。ここでは図２に示すように、走行中の車を流し撮りし、車が常にモニター１５の画面内の中心となるように撮像装置１００を撮影者がパンニングしている場合について説明する。このようにして流し撮りしているために、図２において車はモニター１５の画面内において中央位置に停止しているが、家などの背景画像は画面内において（この紙面上において）右側から左側へと移動している。またここでは、連続するフレームの画像をフレーム１からフレーム６と称し、フレーム４で露光すなわち静止画像として撮影する場合について説明する。
【００２６】
図３は従来の撮像装置で流し撮り撮影した場合である。この場合、露光開始前から露光開始後（フレーム３から５を参照）にかけてブラックアウトが生じている。画面が急に暗くなり、目隠し状態で車を追うことになるために、また、緊張を強いるために、撮影者は、円滑に撮影を行うことができなく可能性があり、車を追従することができない可能性や、ぶれが生じる可能性もある。
【００２７】
図３は第１の実施形態による撮像装置１００の場合である。この場合、露光開始後（フレーム５を参照）においてブラックアウトは生じているものの、図２の従来の撮像装置の場合に対比して、ブラックアウトが生じている期間を減じることができている。そのため、目隠し状態で車を追う期間を減じることができ、また、緊張を生じる可能性を減じることができるために、撮影者が円滑に撮影を行うことができなく可能性を減じ、車を追従することができなくなる可能性を減じ、また、ぶれが生じる可能性も減じることができる。
また、ブラックアウトが生じる期間が、露光開始前や露光開始中（フレーム３と４を参照）という撮影に影響する期間ではなく、露光した後（フレーム５参照）という既に撮影が完了した後であるために、ブラックアウトによる撮影の影響を減じることができる。
【００２８】
次に図５を用いて、スルー画像を表示する場合の撮像装置１００の動作について説明する。ｎ番目のフレームで、撮像素子８はスルー画像１を露光する。以降、「ｎ番目のフレーム」を「フレームｎ」と称して説明する。露光されたスルー画像１は、フレームｎ＋１で、制御部２０に読み込まれる。
【００２９】
制御部２０に読み込まれたスルー画像１は、フレームｎ＋２で画像処理部２１により画像処理され、フレームｎ＋３で表示制御部２２とモニター制御回路１４とによりモニター１５に表示される。上述したフレーム１におけるスルー画像１に対する同様の処理が、フレーム２における画像２に対しても、１フレーム分だけ遅れて、並列に実行される。以下、同様の処理が繰り返される。このように一般にデジタルカメラなどの撮像装置においては、撮像素子８で撮像されたスルー画像がモニター１５に表示されるまでには、数フレームの遅れが生じる。
【００３０】
次に図６を用いて、従来の撮像装置によって撮像される場合における、スルー画像を表示させる動作（以下、スルー画動作という）および撮影動作について説明する。ここではフレームｎ＋５の期間においてレリーズ信号が入力され、フレームｎ＋６の期間から静止画像の撮影処理が実行せれる場合について説明する。
【００３１】
フレームｎ＋６において、撮影制御部２３および撮像素子制御回路７により、静止画像を撮影するための撮影準備が開始される。このフレームｎ＋６において、画像処理部２１と表示制御部２２とは処理が停止され、モニター１５は消灯されブラックアウトする。以降、フレームｎ＋１０で撮影が完了するまで、モニター１５はブラックアウトする。
【００３２】
次のフレームｎ＋７において、撮像素子８は静止画像用の露光を実行する。これにより、フレームｎ＋７で露光された画像８が静止画像（以下、静止画像８とする）として撮像される。次のフレームｎ＋８において、制御部２０が、フレームｎ＋７で撮像された静止画像８を読み込む。次のフレームｎ＋９において、画像処理部２１は静止画像８に対して画像処理する。次のフレームｎ＋１０において、撮影制御部２３は、画像処理された静止画像８をメモリー１７に記録させるとともに、画像処理された静止画像８をモニター１５に表示させる。
【００３３】
次に、次のフレームｎ＋１１からスルー画処理が再開されるが、スルー画像がモニター１５に表示されるまでには数フレームの遅れが生じるために、この場合、フレームｎ＋１４からスルー画像がモニター１５に表示される。
【００３４】
次に図７を用いて、第１の実施形態による撮像装置１００によって撮像される場合における、スルー画動作および撮影動作について説明する。ここでは、図６と同様の撮影をする場合の動作について説明する。図７におけるフレームｎ＋５までの動作は、図５または図６におけるフレームｎ＋５までの動作と同様であるため、その説明を省略する。
【００３５】
フレームｎ＋６において、撮影制御部２３および撮像素子制御回路７により、静止画像を撮影するための撮影準備が開始される。このフレームｎ＋６においても、画像処理部２１はフレームｎ＋４において露光されたスルー画像５に対しての画像処理を続け、表示制御部２２はフレームｎ＋３において露光されたスルー画像４をモニター１５に表示させる処理を実行している。
【００３６】
次のフレームｎ＋７において、撮像素子８は静止画像用の露光を実行する。これにより、フレームｎ＋７で露光され、静止画像８が撮像される。このフレームｎ＋７においても、画像処理部２１はフレームｎ＋５において露光されたスルー画像６に対しての画像処理を続け、表示制御部２２はフレームｎ＋４において露光されたスルー画像５をモニター１５に表示させる処理を実行している。
【００３７】
次のフレームｎ＋８において、制御部２０が、フレームｎ＋７で撮像された静止画像８を読み込む。このフレームｎ＋８においては、画像処理部２１と表示制御部２２とは処理を停止しており、モニター１５は消灯されブラックアウトする。
【００３８】
次のフレームｎ＋９において、画像処理部２１は静止画像８に対して画像処理する。次のフレームｎ＋１０において、撮影制御部２３は、画像処理された静止画像８をメモリー１７に記録させるとともに、画像処理された静止画像８をモニター１５に表示させる。
【００３９】
その後フレームｎ＋１３から、スルー画処理を再開する。この図７におけるフレームｎ＋１３以降の処理は、この図６におけるフレームｎ＋１２以降の処理と同様であるため、その説明を省略する。なお、ここではフレームｎ＋１３からスルー画処理を再開しているが、フレームｎ＋１２からスルー画処理を再開してもよい。
【００４０】
この図７の場合には、フレームｎ＋８からフレームｎ＋９の２フレームにわたって、ブラックアウトすることになる。図６の場合と対比すると、図７においては、レリーズ信号が入力された後も、画像処理部２１と表示制御部２２とが動作し続けることにより、ブラックアウトする期間を減じることができる。
【００４１】
なお、このようにしてブラックアウトを減じることができるのは、撮像素子８が撮影準備と露光している期間においても、画像処理部２１と表示制御部２２とは、既に撮像素子８で撮像されているスルー画像に対して、処理を継続して実行しているためである。そして、スルー画像は静止画像に対比して小さいデータ量である。また、静止画像を撮影するための撮影準備と露光との処理においては、データ量の多い静止画像を制御部２０が処理することはない。よって、静止画像に対しての撮影準備と露光とを実行しながら、撮像装置１００全体における処理の負荷量を増大させることなしに、制御部２０は、画像処理部２１と表示制御部２２とを用いて、既に撮像素子８で撮像されているスルー画像に対して処理を継続して実行することができる。
【００４２】
次に図８と図９とを用いて、撮像する場合の第１の実施形態による撮像装置１００の動作について説明する。ここでは、ユーザによって電源スイッチ１３ａが押下され、電源が投入されてからの撮像装置１００の動作について説明する。
【００４３】
まず撮像装置１００の電源がオンされたことに応じて、ステップＳ００１で、回路システムをリセットしてシステムを初期化する。次のステップＳ００３で、撮像素子８を起動し、スルー画像を連続して撮影可能な状態にする。次のステップＳ００４で、モニター１５を点灯させ、撮像素子８からのスルー画像をモニター１５に表示させる。
【００４４】
次のステップＳ０２１で、制御部２０が、ＡＥ制御（自動露出制御）を行う。次のステップＳ０２２で、制御部２０がＡＷＢ制御（オートホワイトバランス制御）を行う。次のステップＳ０２３で、制御部２０がＡＦ制御（オートフォーカス制御）を行う。
【００４５】
ここでＡＥ制御とは、被写体の輝度を測定し、連続撮影するスルー画像が適正露出となるように、撮像素子８による撮像速度および光学系１の絞りを調整することである。またここで、ＡＷＢ制御とは、被写体色を測定し、モニター１５に出力される画像が最適な色になるように色毎の増幅率を調整するとともに、撮影時の色毎の増幅率を設定する処理である。またここで、ＡＦ制御とは、被写体に焦点を合わせる制御である。
【００４６】
次のステップＳ０２４で、レリーズスイッチ１３ｂが半押しされているか否かを判定する。このステップＳ０２４でレリーズスイッチ１３ｂが半押しされていない場合には、ステップＳ０２１からの処理を繰り返す。一方、このステップＳ０２４でレリーズスイッチ１３ｂが半押しされている場合には、ステップＳ０４１へ進む。
【００４７】
ステップＳ０４１で、制御部２０が、再度ＡＥ制御を行う。次のステップＳ０２２で、制御部２０がＡＷＢ制御を行う。次のステップＳ０２３で、制御部２０がＡＦ制御を行う。ここでのＡＥ制御においては、上述したステップＳ０２１でのＡＥ制御を実行するとともに、撮影時の絞りおよびシャッター速度も設定する。
【００４８】
次のステップＳ０４４で、半押しされている状態のレリーズスイッチ１３ｂがさらに押下され、レリーズスイッチ１３ｂからのレリーズ信号が入力されたか否かを、制御部２０は判定する。このステップＳ０４４でレリーズ信号が入力されていない場合には、ステップＳ０４５に進む。
【００４９】
次にステップＳ０４５で、レリーズスイッチ１３ｂが半押しされているか否かを判定する。このステップＳ０４５でレリーズスイッチ１３ｂが半押しされている場合には、ステップＳ０４４からの処理を繰り返す。一方、このステップＳ０４５でレリーズスイッチ１３ｂが半押しされていない場合には、ステップＳ０２１からの処理を繰り返す。
【００５０】
一方ステップＳ０４４でレリーズ信号が入力されている場合には、ステップＳ０５１にて撮影処理を実行した後、ステップＳ０２１からの処理を繰り返す。
【００５１】
次に図９を用いて、図８のステップＳ０５１における撮影処理について説明する。まずステップＳ２０１で、流し撮りモードに設定されているか否かを判定する。この流し撮りモードに設定されているか否かの判定は、撮影者による操作スイッチの操作により、流し撮りモードが設定されているか否かによって、判定されてもよい。または、角速度センサー２からの出力信号に基づいて、撮像装置１００がパンニングされたか否かを判定することにより、判定されてもよい。
【００５２】
このステップＳ２０１で流し撮りモードに設定されていると判定された場合には、ステップＳ２２０へ進む。ステップＳ２２０で、撮影準備をする。この撮影準備とは、上述したステップＳ０４１からステップＳ０４３で測定された自動制御パラメータの設定をすることである。また、撮像素子８を静止画撮影モードに変更するなど、静止画撮影の準備を行うことである。
【００５３】
次にステップＳ２２１で、撮像素子８への露光を行う。次にステップＳ２２２で、スルー画を停止する。次にステップＳ２２３で、スルー画表示処理が終了し、モニター１５での表示が消失しブラックアウトする。
【００５４】
次にステップＳ２２４で、露出された撮像素子８の電荷を読み取る。次にステップＳ２２５で、画像処理を行い、静止画像を生成する。次にステップＳ２２６で、生成した静止画像をメモリー１７に記録する。次にステップＳ２２７で、撮影した静止画像をモニター１５に表示する。次に、ステップＳ２３１に進む。
【００５５】
一方ステップＳ２０１で流し撮りモードに設定されていないと判定された場合には、ステップＳ２１０へ進む。ステップＳ２１０で、スルー画を停止する。次にステップＳ２１１で、スルー画表示処理が終了し、モニター１５での表示が消失しブラックアウトする。次にステップＳ２１２で、撮影準備をする。次にステップＳ２１３で、撮像素子８への露光を行う。
【００５６】
次のステップＳ２１４からステップＳ２１７の処理は、上述したステップＳ２２４からステップＳ２２７の処理と同様であるため、その説明を省略する。ステップＳ２１７に続いて、ステップＳ２３１に進む。
【００５７】
上述したステップＳ２２７またはステップＳ２１７に続いて、ステップＳ２３１で、予め定められている撮影画像表記期間が経過したか否かを判定する。経過していない場合には、ステップＳ２３１を繰り返す。経過した場合には、ステップＳ２３２に進む。次のステップＳ２３２で、スルー画表示を再開する。その後、ステップＳ００５へ処理を戻す。
【００５８】
上記の動作により、流し撮り撮影の場合には、図４および図７を用いて説明したように、ブラックアウトする期間を減じて撮影することができる。これにより、被写体を追従しやすくなる。また流し撮り撮影でない場合には、図３および図６を用いて説明したように、従来と同じようにブラックアウトをして撮影することができる。これにより、従来と同じように撮影することができる。
【００５９】
なお上記図９においては、ステップＳ２１０からステップＳ２１７の処理を、ステップＳ２２１からステップＳ２２７の処理と同様にしてもよい。すなわちステップＳ２１０とステップＳ２１１の処理を、ステップＳ２１３の処理の後に実行するようにしてもよい。このようにすることにより、流し撮りでない場合においても、流し撮りの場合と同様に、ブラックアウトする期間を減じることができる。
【００６０】
次に図１０と図１１とを用いて、第２の実施形態について説明する。ここでは第１の実施形態との相違点のみについて説明する。なお、同図において対応する部分には同一の符号を付け、その説明を省略する。
【００６１】
この第２の実施形態においては、第１の実施形態に更に加えて、表示制御部２２は、レリーズ信号が入力されたことに応じて、レリーズ信号が入力されるまでに連続撮像されているスルー画像をモニター１５に連続表示させた後に、当該連続表示した最後のスルー画像をモニター１５に表示し続けさせる。これにより図１０に示すように、図４においてはブラックアウトしていたフレーム５において、フレーム４のスルー画像を表示する。これによりブラックアウトが生じていないことになる。
【００６２】
次に図１１を用いて、第２の実施形態による撮像装置１００によって撮像される場合におけるスルー画動作および撮影動作について説明する。ここでは図６の第１の実施形態による撮像装置１００によって撮像される場合におけるスルー画動作および撮影動作との相違点のみについて説明する。
【００６３】
フレームｎ＋７とフレームｎ＋８とにおいて、表示制御部２２は、最後の画像をモニター１５に表示し続けさせる。この場合、表示制御部２２は、スルー画像５を表示し続ける。これにより、ブラックアウトが生じない。よって、第２の実施形態によれば、第１の実施形態に対比して、更にブラックアウトする期間を減じることができる。
【００６４】
以上、この発明の実施形態を図面を参照して詳述してきたが、具体的な構成はこの実施形態に限られるものではなく、この発明の要旨を逸脱しない範囲の設計等も含まれる。
【符号の説明】
【００６５】
１…光学系、８…撮像素子、１０…撮像部、１５…モニター、１７…メモリー、２２…表示制御部２２…撮影制御部、１００…撮像装置
【図１】
2010273182.tif 000003
【図２】
2010273182.tif 000004
【図３】
2010273182.tif 000005
【図４】
2010273182.tif 000006
【図５】
2010273182.tif 000007
【図６】
2010273182.tif 000008
【図７】
2010273182.tif 000009
【図８】
2010273182.tif 000010
【図９】
2010273182.tif 000011
【図１０】
2010273182.tif 000012
【図１１】
2010273182.tif 000013